【事件の表示】
　特許第３０９６２８５号「つかいすておむつ」の請求項１ないし３に係る特許に対する特許異議の申立てについて、次のとおり決定する。
【結　論】
　訂正を認める。
　特許第３０９６２８５号の請求項１ないし３に係る特許を取り消す。
【理　由】
Ｉ　手続の経緯
　
　特許第３０９６２８５号の請求項１ないし３に係る発明についての手続の経緯は、およそ次のとおりである。
（１）特許出願　平成２年１月２３日（特願平２−１２８８４号の分割出願）
（２）特許権の設定の登録　平成１２年８月４日
（３）特許掲載公報の発行　平成１２年１０月１０日
（４）ユニ・チャーム株式会社より特許異議の申立て　平成１３年４月１０日
（５）土山健二より特許異議の申立て　平成１３年４月１０日
（６）特許の取消理由の通知の発送　平成１３年７月３日
（７）特許権者より特許異議意見書の提出及び訂正請求（指定期間内）　平成１３年８月３０日
　
ＩＩ　訂正の適否について
　
１　訂正の内容
　前記Ｉ．（７）の訂正請求は、次のア〜オのとおり、明細書及び図面の記載を訂正することを求めるものである（訂正前と比較して訂正後の文言部分に下線を付した。）。
　ア　特許異議の申立てがされている請求項１〜３について、訂正前の特許請求の範囲の記載、すなわち、
「【請求項１】液透過性の表面シート、液不透過性の裏面シート、これら両シートの間に位置する吸収体、及び該吸収体の長手方向の両側縁から幅方向外方へ延出されたサイドフラップを具備するつかいすておむつにおいて、
　上記サイドフラップの表面に、伸縮自在に形成された襞部が上記吸収体の両側縁に沿わせてそれぞれ複数設けられており、
　複数の上記襞部は、それぞれ一箇所に纏まって上記サイドフラップの表面に固定されており、且つ
　複数の上記襞部は、上記サイドフラップの表面からそれぞれ分離して立ち上がっていることを特徴とするつかいすておむつ。
【請求項２】上記襞部は、何れも長手方向の少なくとも一部が上記表面シートから離間して形成されている、請求項１記載のつかいすておむつ。
【請求項３】上記襞部は、何れも複数の弾性部材を具備している、請求項１記載のつかいすておむつ。」
を、訂正明細書の特許請求の範囲の記載、すなわち、
「【請求項１】液透過性の表面シート、液不透過性の裏面シート、これら両シートの間に位置する吸収体、及び該吸収体の長手方向の両側縁から幅方向外方へ延出されたサイドフラップを具備するつかいすておむつにおいて、
　上記サイドフラップの表面に、伸縮自在に形成された襞部が上記吸収体の両側縁に沿わせてそれぞれ複数設けられており、
　複数の上記襞部は、それぞれ一箇所に纏まって上記サイドフラップの表面に固定されており、且つ
　複数の上記襞部は、上記サイドフラップの表面からそれぞれ分離して立ち上がっており、
　複数の上記襞部は、少なくとも最内側の襞部が上記吸収体の内側に向けて傾斜するように設けられており、且つ少なくとも最外側の襞部が該吸収体の幅方向外方に向けて傾斜するように設けられており、上記つかいすておむつの長手方向端部においては各々展開した状態で上記表面シートに固定されており、
　複数の上記襞部は、それぞれ立体ギャザーを形成することを特徴とするつかいすておむつ。
【請求項２】上記襞部は、何れも着用者の股下部分の領域において上記表面シートから離間して形成されている、請求項１記載のつかいすておむつ。
【請求項３】上記襞部は、何れも複数の弾性部材を具備している、請求項１記載のつかいすておむつ。」
に訂正する。
　イ　発明の詳細な説明の段落【０００８】末尾の記載について、訂正前の「且つ複数の上記襞部は、上記サイドフラップの表面からそれぞれ分離して立ち上がっている」を、訂正明細書の「且つ複数の上記襞部は、上記サイドフラップの表面からそれぞれ分離して立ち上がっており、複数の上記襞部は、少なくとも最内側の襞部が上記吸収体の内側に向けて傾斜するように設けられており、且つ少なくとも最外側の襞部が該吸収体の幅方向外方に向けて傾斜するように設けられており、上記つかいすておむつの長手方向端部においては各々展開した状態で上記表面シートに固定されており、複数の上記襞部は、それぞれ立体ギャザーを形成する」に訂正する。
　ウ　発明の詳細な説明の段落【０００９】冒頭及び末尾の記載について、訂正前の「以下、第１図〜第７図に示す」、「第５図、第６図はそれぞれ本発明のつかいすておむつの他の実施例を示す第３図相当図、第７図は本発明のつかいすておむつの更に他の実施例を示す第３図とは反対側の位置における断面図である。」を、それぞれ、訂正明細書の「以下、第１図〜第６図に示す」、「第５図、第６図はそれぞれ本発明のつかいすておむつの他の実施例を示す第３図相当図である。」に訂正する。
　エ　発明の詳細な説明の段落【００２３】の記載を削除する。
　オ　図面の簡単な説明の【図７】についての記載及び図面の【図７】を削除する。
　
２　訂正の目的の適否、新規事項の追加の有無及び特許請求の範囲の拡張・変更の存否
　アの訂正は、（i）訂正前の請求項１の記載において、複数の上記襞部について、それが「少なくとも最内側の襞部が上記吸収体の内側に向けて傾斜するように設けられており、且つ少なくとも最外側の襞部が該吸収体の幅方向外方に向けて傾斜するように設けられており、上記つかいすておむつの長手方向端部においては各々展開した状態で上記表面シートに固定されており、それぞれ立体ギャザーを形成する」ものであることを限定し、（ii）訂正前の請求項２の記載において、複数の上記襞部が上記表面シートから離間して形成されている部分について、「上記襞部の長手方向の部分」をもって表現することに代えて、これと実質上同一の意味を有すると認められる「着用者の着用部分の領域」をもって表現し直した上、それが「着用者の股下部分の領域」であることを限定するものであるから、特許請求の範囲の減縮を目的とするものに該当する。
　イ〜オの訂正は、アの訂正に整合させて、対応する発明の詳細な説明、図面の簡単な説明及び図面について、削除を含む所要の訂正を行うものであるから、明りょうでない記載の釈明を目的とするものに該当する。
　そして、これらの訂正は、いずれも願書に添付された明細書又は図面に記載された事項の範囲内においてされたものであり、また、訂正前の請求項１〜３に記載された事項により特定される発明の具体的な目的の範囲を逸脱してその技術的事項を変更するもの等に該当しないから、当該訂正は、特許請求の範囲を実質上拡張するものでも変更するものでもない。
　
３　むすび
　以上のとおりであるから、ア〜オの訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第第１項ただし書、第２項及び第３項の規定に適合するので、当該訂正を認める。
　
ＩＩＩ　特許異議の申立てについて
　
１　本件発明
　本件特許の請求項１ないし３に係る発明（以下「第１発明」ないし「第３発明」という。）は、前記ＩＩ．１．アに摘記した訂正明細書の特許請求の範囲の請求項１ないし３に記載された事項により特定されるとおりのものであるところ、その請求項１を再掲すれば次のとおりである。
【請求項１】
　「液透過性の表面シート、液不透過性の裏面シート、これら両シートの間に位置する吸収体、及び該吸収体の長手方向の両側縁から幅方向外方へ延出されたサイドフラップを具備するつかいすておむつにおいて、
　上記サイドフラップの表面に、伸縮自在に形成された襞部が上記吸収体の両側縁に沿わせてそれぞれ複数設けられており、
　複数の上記襞部は、それぞれ一箇所に纏まって上記サイドフラップの表面に固定されており、且つ
　複数の上記襞部は、上記サイドフラップの表面からそれぞれ分離して立ち上がっており、
　複数の上記襞部は、少なくとも最内側の襞部が上記吸収体の内側に向けて傾斜するように設けられており、且つ少なくとも最外側の襞部が該吸収体の幅方向外方に向けて傾斜するように設けられており、上記つかいすておむつの長手方向端部においては各々展開した状態で上記表面シートに固定されており、
　複数の上記襞部は、それぞれ立体ギャザーを形成することを特徴とするつかいすておむつ。」
　
２　特許異議の申立ての理由の概要
（１）特許異議申立人ユニ・チャーム株式会社は、後記の甲第１号証ないし甲第４号証を提出し、次のカ及びキの理由により、訂正前の請求項１ないし３に係る特許は取り消されるべきものであると主張している（甲第１号証を「平成１２年６月２５日付け意見書」としているのは、添付書類から見て「平成１２年６月５日付け意見書」の誤記と認める。）。
　カ　訂正前の請求項１ないし３に係る発明は、甲第１号証を参照すれば、甲第２号証の刊行物に記載された発明に基づいて、本件出願前に当業者が容易に発明をすることができたものというべきであるから、特許法第２９条第２項の規定により、特許を受けることができないものである。
　キ　訂正前の請求項１ないし３に係る発明は、甲第３号証及び甲第４号証の各刊行物に記載された発明に基づいて当業者が容易に発明をすることができたものというべきであるから、特許法第２９条第２項の規定により、特許を受けることができないものである。
【証拠方法】
　甲第１号証：本件特許出願人の提出に係る平成１２年６月５日付け意見書
　甲第２号証：特開昭６４−６８５０３号公報
　甲第３号証：実公昭４０−１５４３号公報
　甲第４号証：特開昭６３−２１９０１号公報（以下「刊行物１」という。）
（２）特許異議申立人土山健二は、後記の甲第１号証ないし甲第４号証を提出し、次のク〜コの理由により、訂正前の請求項１ないし３に係る特許は取り消されるべきものであると主張している。
　ク　訂正前の請求項１ないし２に係る発明は、甲第１号証及び甲第２号証の各刊行物に記載された発明であるから、特許法第２９条第１項第３号に該当し、特許を受けることができないものである。
　ケ　訂正前の請求項１ないし３に係る発明は、甲第１号証ないし甲第４号証の各刊行物に記載された発明に基づいて本件出願前に当業者が容易に発明をすることができたものであるから、特許法第２９条第２項の規定により、特許を受けることができないものである。
　コ　訂正前の請求項１及び２に係る発明は、本件特許出願の日前の他の特許出願又は実用新案登録出願であって、当該特許出願後に出願公開がされた甲第６号証の特許出願又は甲第５号証の実用新案登録出願の願書に最初に添付された明細書又は図面に記載された発明又は考案と同一であり、しかも、当該特許出願の発明者が前記他の特許出願又は実用新案登録出願に係る発明又は考案をした者と同一ではなく、また当該特許出願の時において、その出願人が前記他の特許出願又は実用新案登録出願の出願人と同一でもないから、特許法第２９条の２の規定により、特許を受けることができないものである。
【証拠方法】
　甲第１号証：特開昭６３−２１９０１号公報
　甲第２号証：特開昭６４−６８５０３号公報
　甲第３号証：実願昭５１−９９４３９号（実開昭５３−１７４４２号）のマイクロフィルム
　甲第４号証：特開昭６２−２５０２０１号公報（以下「刊行物２」という。）
　甲第５号証：実願昭６３−１４９９６３号〔当該出願（実開平２−７１５２１号）のマイクロフィルム参照〕
　甲第６号証：特願昭６３−３０４０９０号（特開平２−１５２４５０号公報参照）
　
３　特許の取消理由において引用した刊行物とその記載内容
　当審では、前記Ｉ．（６）の特許の取消理由において、前記の刊行物１〜２ほかを引用した。
（１）刊行物１（特開昭６３−２１９０１号公報）の記載内容
（１−１）刊行物１には、使い捨ておむつに関して、次のａ〜ｆの事項が図面（第１〜４図）とともに記載されている（同刊行物では、ａの「使い捨ておむつ」を第２番目の本発明と称し、ｂ、ｅ、ｆで当該発明を説明し、ｃ、ｄで当該発明と第１番目の本発明（これについては本決定には摘記しない。）とを共通的に説明している。）。
　ａ　「所要厚さを有する吸収性コアと、該コアの少なくとも上面を覆う透水性トップシートと、該コアの少なくとも下面を覆う不透水性バックシートと、該コアの対向側の下縁から外側へ延出する不透水性サイドフラップと、該フラップの縦方向に伸縮ギャザーを作る第１の防漏堤と、該コアの対向側の上縁にあってその縦方向に伸縮ギャザーを作る第２の防漏堤とを含み、前記コアの対向側は不透水性シートで覆われ、前記第１の防漏堤は前記サイドフラップの一部とその縦方向に伸縮する第１のエラスチックバンドとが協同して該フラップの上面に突出することによって形成され、前記第２の防漏堤は前記コアの対向側を覆う前記不透水性シートの一部とその縦方向に伸縮する第２のエラスチックバンドとが協同して該コアの対向側の上縁から上方に突出することによって形成されていることを特徴とする使い捨ておむつ。」《特許請求の範囲（７）項》
　ｂ  「第２番目の本発明の主たる目的は、第１番目の本発明の前記目的に加え、吸収性コアの対向側の上縁にも前記サイドフラップ部分と同様の堤防機能を付与することにより、《中略》排泄物の漏れをさらに有効に防止することができる使い捨ておむつを提供することにある。」《３頁右上欄９行〜１４行》
　ｃ　「防漏堤5は、サイドフラップ4の一部を形成するシート6の一部が逆Ｕ状またはΩ状に突出し、突出部7の内にその縦方向に伸縮するエラスチックバンド8が一体に接着して介在し、サイドフラップ4の上面に突出することによって形成されている。サイドフラップ4の上面からの防漏堤5の高さＨ１は３〜３０mm、好ましくは５〜２０mmである。」《４頁左欄９行〜１５行》
　ｄ　「こうしたいずれの材質、形態や位置においても、防漏堤5はサイドフラップ4の上面に突出した状態を保つが、これは、突出部7の剛性（腰）と、エラスチックバンド8の或る程度の伸長または収縮（バンド8が突出部7に接着されているので完全に収縮復元しない）による緊張力と、その収縮に伴い防漏堤5が上方へ弓状に湾曲する性向とによる。ただし、防漏堤5は、その長さ方向両端部が外側へ伏倒してあることが好ましいが、これは、そのようにしてあると、その両端部間の部分に外側への傾倒性向が付与され、おむつの着用時に内側への伏倒性向が未然に防止されるからである。」《４頁右上欄４行〜１５行》
　ｅ　「第２番目の本発明　　第１図、第３図および第４図に示すように、おむつは、前述した第１番目の本発明の構成に加え、第２の防漏堤12を含む。防漏堤12は、サイドフラップ4の一部を形成するシート6の一部が逆Ｕ状またはΩ状に突出し、突出部13の内にその縦方向に伸縮する第２のエラスチックバンド14が一体に接着して介在し、コア1の対向側の上縁から突出することによって形成されている。突出部13はその内側がコア1の対向側に位置するトップシート2に接合し、その接合は少なくとも上端近傍においてなされていることが必要である。コア1の対向側の上縁に位置するトップシート2の上面からの防漏堤12の高さＨ２は３〜２０mm、好ましくは５〜１５mmである。第４図に示す防漏堤12は、その上端近傍において内側へ屈曲してコア1の対向側上面に位置しているが、この場合には、少なくとも該上面に位置するトップシート2の上面に接合してあることが好ましい。防漏堤12のその他の点およびその他の構成部材については、前述した第１番目の本発明と全く同じである。《５頁右上欄７行〜左下欄８行》
　ｆ　「なお、第１図に示すように、防漏堤5,12は、おむつの対向端近くまで延設されているが、少なくとも股下区域に設けられておればよい。」《５頁左下欄９行〜１１行》
（１−２）刊行物１の前記ａ〜ｆの記載を、図面（第１、３、４図）の記載を参照しながら総合すると、刊行物１には、次の発明（以下「引用発明」）が記載されていると認められる（便宜上、第１、３、４図に対応させて付番した。）。
【引用発明】
　「所要厚さを有する吸収性コア1と、該コア1の少なくとも上面を覆う透水性トップシート2と、該コア1の少なくとも下面を覆う不透水性バックシート3と、該コア1の対向側の下縁から外側へ延出する不透水性サイドフラップ4，4と、
　該サイドフラップ4，4の縦方向に伸縮ギャザーを作る第１の防漏堤5，5と、該コア1の対向側の上縁にあってその縦方向に伸縮ギャザーを作る第２の防漏堤12，12とを含み、
　前記コア1の対向側は不透水性シート6，6で覆われ、前記第１の防漏堤5，5は、前記サイドフラップ4，4の一部とその縦方向に伸縮する第１のエラスチックバンド8，8とが協同して該フラップ4，4の上面に突出することによって形成され、前記第２の防漏堤12，12は、前記コア1の対向側を覆う前記不透水性シート6，6の一部とその縦方向に伸縮する第２のエラスチックバンド14，14とが協同して該コア1の対向側の上縁から上方に突出することによって形成されており、
　前記第２の防漏堤12，12は、その上端近傍において内側へ屈曲して前記コア1の対向側上面に位置しており、かつ前記第１の防漏堤5，5は、その長さ方向両端部が外側へ伏倒しており、第１の防漏堤5，5及び第２の防漏堤12，12は、おむつの対向端近くまで延設されている使い捨ておむつ。」
（２）刊行物２（特開昭６２−２５０２０１号公報）の記載内容
　刊行物２には、一体型使い捨て吸収性物品の１つであるオシメに関して、次のｇ〜ｈの事項が図面（第１〜７図）とともに記載されている（ｇは実施態様の第３図に関する説明の一部であり、ｈは実施態様の第７図に関する説明の一部である。）。そして、第３図及び第７図には、オシメのバリヤ　カフス62，762が吸収性コア44の内側に向けて傾斜するように設けられている様子が、第７図には、バリヤ　カフス762が２個のスペーサ弾性部材77，77を具備している様子がそれぞれ記載されている。
　ｇ　「バリヤ　カフスの遠位縁66がスペーサ弾性部材77の弾性収縮作用によってトップシート38の上面40から離間され、少なくとも近位縁64と、遠位縁66と、バリヤ　カフス62の内側面68とによってチャンネル96が形成される。」《４頁右下欄１８行〜５頁左上欄３行》
　ｈ　「一体型バリヤ　カフス762は、本発明のオシメ20のバリヤ　カフス662と同様にトップシート38をＵ形に折り曲げ、すなわちひだ寄せする事によって形成される。トップシート38をそれ自体の上に折り畳んで遠位縁66を形成し、この遠位縁66の中に形成されたトンネルの中にスペーサ弾性部材77を固着する。近位縁64は、加熱融解性接着剤から成るグルー　ビーズの接着手段100によって相互に接着される。」《１２頁左下欄３行〜１１行》
　
４　対比・判断
（１）第１発明について
（１−１）第１発明と引用発明とを対比すると、引用発明にいう「所要厚さを有する吸収性コア1」、「透水性トップシート2」、「不透水性バックシート3」、「不透水性サイドフラップ4，4」、「伸縮ギャザー」、「第１の防漏堤5，5」、「第２の防漏堤12，12」、「おむつの対向端」、「使い捨ておむつ」は、順に、第１発明にいう「吸収体」、「液透過性の表面シート」、「液不透過性の裏面シート」、「サイドフラップ」、「立体ギャザー」、「最外側の襞部」、「最内側の襞部」、「おむつの長手方向端部」、「つかいすておむつ」に相当すると共に、引用発明の使い捨ておむつの片側部分につき一組（複数）の「防漏堤5，12」は、第１発明にいう「吸収体の両側縁に沿わせてそれぞれ複数設けられている複数の襞部」、「複数の上記襞部」に相当することが明らかである。また、訂正明細書の段落【００１６】や訂正図面の第３、５、６図の記載を参照すると、第１発明にいう「複数の上記襞部は、上記サイドフラップの表面からそれぞれ分離して立ち上がっており」とは、複数の襞部のうちの最内側の襞部が吸収体の側部に接合していることを許容する意味であることが理解される。
　してみると、引用発明の
「所要厚さを有する吸収性コア1と、該コア1の少なくとも上面を覆う透水性トップシート2と、該コア1の少なくとも下面を覆う不透水性バックシート3と、該コア1の対向側の下縁から外側へ延出する不透水性サイドフラップ4，4と、該サイドフラップ4，4の縦方向に伸縮ギャザーを作る第１の防漏堤5，5と、該コア1の対向側の上縁にあってその縦方向に伸縮ギャザーを作る第２の防漏堤12，12とを含み、前記コア1の対向側は不透水性シート6，6で覆われ、前記第１の防漏堤5，5は、前記サイドフラップ4，4の一部とその縦方向に伸縮する第１のエラスチックバンド8，8とが協同して該フラップ4，4の上面に突出することによって形成され、前記第２の防漏堤12，12は、前記コア1の対向側を覆う前記不透水性シート6，6の一部とその縦方向に伸縮する第２のエラスチックバンド14，14とが協同して該コア1の対向側の上縁から上方に突出することによって形成されており」は、
全体として、第１発明の
「液透過性の表面シート、液不透過性の裏面シート、これら両シートの間に位置する吸収体、及び該吸収体の長手方向の両側縁から幅方向外方へ延出されたサイドフラップを具備するつかいすておむつにおいて、上記サイドフラップの表面に、伸縮自在に形成された襞部が上記吸収体の両側縁に沿わせてそれぞれ複数設けられており、複数の上記襞部は、それぞれ一箇所に纏まって上記サイドフラップの表面に固定されており、且つ複数の上記襞部は、上記サイドフラップの表面からそれぞれ分離して立ち上がっており、複数の上記襞部は、それぞれ立体ギャザーを形成する」
に相当する。
　したがって、第１発明と引用発明とは、次の一致点において一致し、相違点サ〜スにおいてのみ相違する。
　【一致点】「液透過性の表面シート、液不透過性の裏面シート、これら両シートの間に位置する吸収体、及び該吸収体の長手方向の両側縁から幅方向外方へ延出されたサイドフラップを具備するつかいすておむつにおいて、上記サイドフラップの表面に、伸縮自在に形成された襞部が上記吸収体の両側緑に沿わせてそれぞれ複数設けられており、複数の上記襞部は、それぞれ一箇所に纏まって上記サイドフラップの表面に固定されており、且つ複数の上記襞部は、上記サイドフラップの表面からそれぞれ分離して立ち上がっており、複数の上記襞部は、それぞれ立体ギャザーを形成することを特徴とするつかいすておむつ。」
　【相違点サ】複数の上記襞部の最内側の襞部について、第１発明では、「上記吸収体の内側に向けて傾斜するように設けられており」とするのに対し、引用発明では、「襞部の上端近傍において内側へ屈曲して吸収体の対向側上面に位置しており」とする点。
　【相違点シ】複数の上記襞部の最外側の襞部について、第１発明では、「該吸収体の幅方向外方に向けて傾斜するように設けられており」とするのに対し、引用発明では、「その長さ方向両端部が外側へ伏倒しており」とする点。
　【相違点ス】複数の上記襞部について、第１発明では、「上記つかいすておむつの長手方向端部においては各々展開した状態で上記表面シートに固定されており」とするのに対し、引用発明では、「おむつの長手方向端部近くまで延設されている」とする点。
（１−２）これらの相違点について検討する。
（相違点サについて）
　刊行物２の前記ｇ及び第３、７図の記載によれば、オシメのバリヤ　カフス62，762を吸収性コア44の内側に向けて傾斜するように設けることが知られ、ここにいう「オシメ」、「バリヤ　カフス62，762」、「吸収性コア44」は、順に、第１発明にいう「つかいすておむつ」、「最内側の襞部」、「吸収体」に相当するから、引用発明においてさらに、襞部の上端近傍において内側へ屈曲して吸収体の対向側上面に位置している最内側の襞部を、上記吸収体の内側に向けて傾斜するように設けることは、刊行物２の記載から当業者が容易に想到しうることである。
　そして、このようにすれば、着用者の股下部分が最内側の襞部に平面的に接触することになり、その股下部分を赤くしたり傷つけたりする恐れが少なくなることも、当業者が容易に予測できる。
　したがって、相違点サをなす事項は、刊行物２の記載に基づいて当業者が容易に想到しうることである。
（相違点シについて）
　刊行物１の前記ｄの記載によれば、引用発明のように、最外側の襞部をその長さ方向両端部が外側へ伏倒する状態にしてあると、該襞部の両端部間の部分に外側への傾倒性向が付与され、おむつの着用時に内側への伏倒性向が未然に防止されるというのであるから、引用発明において、前記状態からさらに進んで、該襞部の両端部間の部分に外側への傾倒性向を予め付与すること、すなわち、最外側の襞部を吸収体の幅方向外方に向けて傾斜するように設けることを着想することは、当業者にとって困難なこととはいえない。
　そして、このようにすれば、着用者の股下部分が最外側の襞部に平面的に接触することになり、その股下部分を赤くしたり傷つけたりする恐れが少なくなることも、当業者が容易に予測できる。なお、引用発明においても、つかいすておむつの着用時には、襞部の両端部間の部分は外側へ自ずと傾倒するはずであるから、結局は前記と同じ作用効果を奏することになる。
　したがって、相違点シをなす事項は、刊行物１の記載に基づいて当業者が容易に想到しうることである。
（相違点スについて）
  刊行物１の前記ｆの記載によれば、引用発明においては、複数の襞部は、おむつの長手方向端部近くまで延設されていて、少なくとも股下区域に設けられていればよいから、当該記載から、おむつの長手方向端部では、各襞部は立ち上がっている必要はなく、伏倒つまり展開した状態した状態で、サイドフラップの表面（長手方向端部に表面シートが存在する場合には同シート）に固定されていればよいこと、すなわち、上記つかいすておむつの長手方向端部においては各々展開した状態で上記表面シートに固定されていればよいことが容易に知られる。
　そして、このようにすれば、相違点サ、シの奏する前記作用効果と相まって、着用者の股下部分に対して柔軟にフィットして隙間を生じさせることなく確実に漏れを防止できると共に腰部における漏れを防止することができるようになることも、当業者が容易に予測できる。
　したがって、相違点スをなす事項は、刊行物１の記載に基づいて当業者が容易に想到しうることである。
（まとめ）
　そして、各相違点を組み合わせたことによって当業者の予期しない格別の作用効果が生じるものでもないから、第１発明は、本件出願前に国内において頒布された刊行物１〜２に記載された発明に基づいて、本件出願前に当業者が容易に発明をすることができたものである。
（２）第２発明について
　相違点スについて説示したように、引用発明においては、複数の襞部は少なくとも股下区域に設けられていればよいから、当該区域で、該襞部をサイドフラップの表面（当該区域に表面シートが存在する場合には表面シート）から離間して形成すること、すなわち、第２発明のように、第１発明においてさらに、上記襞部の何れもが着用者の股下部分の領域において上記表面シートから離間して形成されているものとすることは、当業者が容易に想到しうることであり、こうしたことによって当業者の予期しない格別の作用効果が生じるものでもない。
　以上のとおりであるから、第２発明も、刊行物１に記載された発明に基づいて、本件出願前に当業者が容易に発明をすることができたものである。
（３）第３発明について
　引用発明においては、最外側の襞部と最内側の襞部とはそれぞれ１個のエラスチックバンド8と１個のエラスチックバンド14を具備しているだけであるが、刊行物２の前記ｈ及び第７図の記載から、オシメのバリヤ　カフス762の内部に具備させるべきスペーサー弾性部材77の数を複数個とすること自体が知られ、前記エラスチックバンドや前記スペーサー弾性部材は第３発明にいう「弾性部材」に相当するから、第３発明のように、第１発明においてさらに、上記襞部の何れもが複数の弾性部材を具備しているものとすることは、刊行物２の記載から当業者が容易に想到しうることであり、こうしたことによって当業者の予期しない格別の作用効果が生じるものでもない。
　以上のとおりであるから、第３発明は、刊行物１〜２に記載された発明に基づいて、本件出願前に当業者が容易に発明をすることができたものである。
　
ＩＶ　特許権者の主張に対して
　
　特許権者は、前記Ｉ．（７）の特許異議意見書９頁において、刊行物１に記載された引用発明の使い捨ておむつにおける、サイドフラップ4上にしっかりと固定されている第１の防漏堤5及び第２の防漏堤12では、動きの自由度が低く、第１発明ないし第３発明のように、着用者の股下部分に対して柔軟に平面でもってフィットすることはできない旨主張している。
　しかし、この主張は、刊行物１の記載にも、第１発明ないし第３発明を特定する事項にも基づかないものであって、無意味である。引用発明では、刊行物１の前記ｃ、ｅの記載のとおり、防漏堤5の高さＨ１をサイドフラップ4の上面から３〜３０mmとし、防漏堤12の高さＨ２をコア1の対向側の上縁に位置するトップシート2の上面から３〜２０mmとすることができるから、各防漏堤の動きの自由度が低いものとは到底いえない。そして、引用発明においてさらに、第２（最内側）の防漏堤12を吸収体の内側に向けて、第１（最外側）の防漏堤5を吸収体の幅方向外方に向けてそれぞれ傾斜するように設けることも、前説示のように容易にできることであるから、このようにすれば、前記の各防漏堤の十分な高さと相まって、着用者の股下部分に対して柔軟に平面でもってフィットするものとなることは、当業者が容易に予測できることである。
　
Ｖ　むすび
　
　以上のとおりであるから、請求項１ないし３に係る発明は、本件出願前に国内において頒布された刊行物１〜２に記載された発明に基づいて、いずれも本件出願前に当業者が容易に発明をすることができたものであって、特許法第２９条第２項の規定により特許を受けることができないものである。
　したがって、請求項１ないし３に係る特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年３月５日（２００２．３．５）
【訂正の要旨】
訂正の要旨
　特許第３０９６２８５号発明の明細書について、次のとおり訂正する。
（１）特許請求の範囲の減縮を目的として、訂正前の明細書の特許請求の範囲の記載、
「【請求項１】液透過性の表面シート、液不透過性の裏面シート、これら両シートの間に位置する吸収体、及び該吸収体の長手方向の両側縁から幅方向外方へ延出されたサイドフラップを具備するつかいすておむつにおいて、
　上記サイドフラップの表面に、伸縮自在に形成された襞部が上記吸収体の両側縁に沿わせてそれぞれ複数設けられており、
　複数の上記襞部は、それぞれ一箇所に纏まって上記サイドフラップの表面に固定されており、且つ
　複数の上記襞部は、上記サイドフラップの表面からそれぞれ分離して立ち上がっていることを特徴とするつかいすておむつ。
　【請求項２】上記襞部は、何れも長手方向の少なくとも一部が上記表面シートから離間して形成されている、請求項１記載のつかいすておむつ。
　【請求項３】上記襞部は、何れも複数の弾性部材を具備している、請求項１記載のつかいすておむつ。」
を、訂正明細書の特許請求の範囲の記載、
「【請求項１】液透過性の表面シート、液不透過性の裏面シート、これら両シートの間に位置する吸収体、及び該吸収体の長手方向の両側縁から幅方向外方へ延出されたサイドフラップを具備するつかいすておむつにおいて、
　上記サイドフラップの表面に、伸縮自在に形成された襞部が上記吸収体の両側縁に沿わせてそれぞれ複数設けられており、
　複数の上記襞部は、それぞれ一箇所に纏まって上記サイドフラップの表面に固定されており、且つ
　複数の上記襞部は、上記サイドフラップの表面からそれぞれ分離して立ち上がっており、
　複数の上記襞部は、少なくとも最内側の襞部が上記吸収体の内側に向けて傾斜するように設けられており、且つ少なくとも最外側の襞部が該吸収体の幅方向外方に向けて傾斜するように設けられており、上記つかいすておむつの長手方向端部においては各々展開した状態で上記表面シートに固定されており、
　複数の上記襞部は、それぞれ立体ギャザーを形成することを特徴とするつかいすておむつ。
　【請求項２】上記襞部は、何れも着用者の股下部分の領域において上記表面シートから離間して形成されている、請求項１記載のつかいすておむつ。
　【請求項３】上記襞部は、何れも複数の弾性部材を具備している、請求項１記載のつかいすておむつ。」
に訂正する。
（２）明りょうでない記載の釈明を目的として、発明の詳細な説明、図面の簡単な説明及び図面の記載を次のように訂正する。
　（ｉ）発明の詳細な説明の段落【０００８】末尾の記載について、訂正前の「且つ複数の上記襞部は、上記サイドフラップの表面からそれぞれ分離して立ち上がっている」を、訂正明細書の「且つ複数の上記襞部は、上記サイドフラップの表面からそれぞれ分離して立ち上がっており、複数の上記襞部は、少なくとも最内側の襞部が上記吸収体の内側に向けて傾斜するように設けられており、且つ少なくとも最外側の襞部が該吸収体の幅方向外方に向けて傾斜するように設けられており、上記つかいすておむつの長手方向端部においては各々展開した状態で上記表面シートに固定されており、複数の上記襞部は、それぞれ立体ギャザーを形成する」に訂正する。
　（ｉｉ）発明の詳細な説明の段落【０００９】冒頭及び末尾の記載について、訂正前の「以下、第１図〜第７図に示す」、「第５図、第６図はそれぞれ本発明のつかいすておむつの他の実施例を示す第３図相当図、第７図は本発明のつかいすておむつの更に他の実施例を示す第３図とは反対側の位置における断面図である。」を、それぞれ、訂正明細書の「以下、第１図〜第６図に示す」、「第５図、第６図はそれぞれ本発明のつかいすておむつの他の実施例を示す第３図相当図である。」に訂正する。
　（ｉｉｉ）発明の詳細な説明の段落【００２３】の記載を削除する。
　（ｉｖ）図面の簡単な説明の【図７】についての記載及び図面の【図７】を削除する。
（５４）【発明の名称】
つかいすておむつ
（５７）【特許請求の範囲】
　【請求項１】　液透過性の表面シート、液不透過性の裏面シート、これら両シートの間に位置する吸収体、及び該吸収体の長手方向の両側縁から幅方向外方へ延出されたサイドフラップを具備するつかいすておむつにおいて、
　上記サイドフラップの表面に、伸縮自在に形成された襞部が上記吸収体の両側縁に沿わせてそれぞれ複数設けられており、
　複数の上記襞部は、それぞれ一箇所に纏まって上記サイドフラップの表面に固定されており、且つ
　複数の上記襞部は、上記サイドフラップの表面からそれぞれ分離して立ち上がって
おり、
　
複数の上記襞部は、少なくとも最内側の襞部が上記吸収体の内側に向けて傾斜するように設けられており、且つ少なくとも最外側の襞部が該吸収体の幅方向外方に向けて傾斜するように設けられており、上記つかいすておむつの長手方向端部においては各々展開した状態で上記表面シートに固定されており、
　
複数の上記襞部は、それぞれ立体ギャザーを形成する
　【請求項２】　上記襞部は、何れも
着用者の股下部分の領域において
　【請求項３】　上記襞部は、何れも複数の弾性部材を具備している、請求項１記載のつかいすておむつ。
【発明の詳細な説明】
　【０００１】
　【発明の属する技術分野】
　本発明は、フィット性を高めた漏れ防止構造を有するつかいすておむつに関する。
　【０００２】
　【従来の技術】
　つかいすておむつの股部に関する防漏機構としては、従来から種々提案されている。例えば、特公昭５２−４０２６７号公報、特開昭５４−１１５９３９号公報、特開昭５２−１２００４５号公報、及び特開昭５７−８９６０２号公報には、つかいすておむつの側縁部に沿って、弾性部材を用いて予めギャザーを設け、着用者の股下部分におむつを密着させ、漏れにくくしたつかいすておむつが開示されている。また、特開昭５９−１５７３０１号公報、特開昭６０−１９９９０３号公報及び実開昭６３−６０４０５号公報には、側縁部に伸長率の異なる弾性部材を複数本配置することにより、着用者の脚周り寸法に合い、且つ動きに追従できるつかいすておむつが開示されている。
　【０００３】
　また、特開昭６２−２５０２０１号公報、特開昭６３−１５９５０１号公報には、サイドフラップの長手方向に側壁部、あるいは起立する伸縮ギャザーを形成し、これらによって漏れ防止、フィット性向上させたつかいすておむつが開示されている。
　【０００４】
　【発明が解決しようとする課題】
　しかし、上記のような防漏機構において、特公昭５２−４０２６７号公報、特開昭５４−１１５９３９号公報、特開昭５２−１２００４５号公報及び特開昭５７−８９６０２号公報にそれぞれ記載された股下部分におけるサイドフラップにギャザーを設けたつかいすておむつは、前記サイドフラップに介在する弾性部材によってサイドフラップの剛性が高くなり、脚周りに対する追従性が低下する。その結果、意図したフィット性が得られず、着用者の股下部分とおむつとの間に隙間を形成する虞れがあり、漏れを充分に防止することができない。特に、着用者が活発な高月齢児である場合などには、着用時に吸収体がヨレたりおむつがずれ落ちたりすることが頻繁に起こる虞れがあり、漏れに至る危険性が更に高くなる。
　【０００５】
　更に、弾性部材を表面シートと裏面シートの間に介在させてギャザーを形成させたものは、その殆どが弾性部材または裏面シートもしくは表面シートに接着手段を施すと共におむつの長手方向の両端部には製造上、止むを得ず形成される非接合部分（剥離部）があり、着用時にこの剥離部において形成される隙間を介して腹側または背側からの漏れを引き起こす原因になっていた。
　【０００６】
　また、特開昭５９−１５７３０１号公報、特開昭６０−１９９９０３号公報及び実開昭６３−６０４０５号公報にそれぞれ記載されたサイドフラップにおいて起立したギャザーを１本づつ設けたおむつは、ギャザーを起立させるために弾性部材の伸長率を高く設定せざるを得ず、そのようにするとギャザー縁部が肌に線状に接するため、股下部分をギャザーで圧迫し、股下部分を赤くしたり、傷つけたりすることがあり、着用上必ずしも満足できるものではなく、また、側壁部を有するものについても同様のことが言える。
　【０００７】
　従って、本発明の目的は、股下部分に対して柔軟にフィットして隙間を生じさせることなく確実に漏れを防止することができると共に腰部における漏れを防止することができるつかいすておむつを提供することにある。
　【０００８】
　【課題を解決するための手段】
　本発明者らは、従来のつかいすておむつ、特に股下部分の防漏機構について鋭意研究した結果、フラップに特定形態の漏れ抵抗部材を設けることによって上記目的を達成し得ることを知見した。
　本発明は、上記知見に基づいてなされたもので、液透過性の表面シート、液不透過性の裏面シート、これら両シートの間に位置する吸収体、及び該吸収体の長手方向の両側縁から幅方向外方へ延出されたサイドフラップを具備するつかいすておむつにおいて、上記サイドフラップの表面に、伸縮自在に形成された襞部が上記吸収体の両側縁に沿わせてそれぞれ複数設けられており、複数の上記襞部は、それぞれ一箇所に纏まって上記サイドフラップの表面に固定されており、且つ複数の上記襞部は、上記サイドフラップの表面からそれぞれ分離して立ち上がって
おり、複数の上記襞部は、少なくとも最内側の襞部が上記吸収体の内側に向けて傾斜するように設けられており、且つ少なくとも最外側の襞部が該吸収体の幅方向外方に向けて傾斜するように設けられており、上記つかいすておむつの長手方向端部においては各々展開した状態で上記表面シートに固定されており、複数の上記襞部は、それぞれ立体ギャザーを形成する
　【０００９】
　【発明の実施の形態】
　以下、第１図〜第
６
図で
　【００１０】
　本実施例のつかいすておむつ１は、第１図に示す如く、着用者の肌に接触する側を形成する液透過性の表面シート２と、該表面シート２に対応する液不透過性の裏面シート３と、該裏面シート３と上記表面シート２との間に位置して排泄物を吸収する吸収体４と、該吸収体４の長手方向の両側縁から幅方向外方へ延出された一対のサイドフラップ５、５とを具備し、該サイドフラップ５、５は上記表面シート２及び裏面シート３とが重合して一体に形成されている。尚、本実施例では、上記サイドフラップ５、５の外側縁の略中央に股下部分の形状に沿った凹欠部５Ａ、５Ａが形成されている。
　【００１１】
　而して、サイドフラップ５，５の表面に伸縮自在に形成された襞部６Ａ，６Ａが、吸収体４の両側縁に沿わせてそれぞれ複数設けられており、複数の襞部６Ａ，６Ａは、それぞれ一箇所に纏まってサイドフラップ５、５の表面に固定されており、且つ複数の襞部６Ａ，６Ａは、サイドフラップ５の表面からそれぞれ分離して立ち上がっている。
　更に詳述すると、上記サイドフラップ５の表面上には伸縮自在に形成された一対の襞部６Ａ、６Ａを有する漏れ抵抗部材６が上記吸収体４の長手方向の側縁に沿って設けられ、しかも該漏れ抵抗部材６は上記サイドフラップ５から上記吸収体４の内側に渡って被うように形成されている。上記襞部６Ａは、少なくとも糸状の弾性部材７を１本内包し、長手方向に伸縮自在に構成されている。即ち、本つかいすておむつ１は、第１図に示す如く展開した状態で、上記弾性部材７が張設された状態にあって本つかいすておむつ１を常に長手方向内で内側へ引っ張っており、本つかいすておむつ１の使用時には、第２図に示す如く、本つかいすておむつ１が表面側に湾曲すると共に上記各漏れ抵抗部材６、６のそれぞれの襞部６Ａ、６Ａが立ち上がり、これら各漏れ抵抗部材６、６の襞部６Ａ、６Ａで股下部にポケット構造を形成するように構成され、しかも各漏れ抵抗部材６、６の内側の襞部６Ａ、６Ａが第３図に示す如く上記吸収体４の内側へ位置するように構成されている。
　【００１２】
　尚、本つかいすておむつ１の背側のサイドフラップ５、５にはテープファスナー８、８が取り付けられている。
　【００１３】
　本発明のつかいすておむつによれば、着用時にサイドフラップの伸縮自在な襞部が、高月齢児の活発な動作に対して追随する吸収体のヨレに影響されることなく、着用者の股下部分に柔軟にフィットして、股下部分の内部にポケット構造を形成し、このポケット構造を維持した状態で着用者にフィットして排泄物をポケット構造内に封止してその漏れを防止することができる。
　また、本発明のつかいすておむつによれば、襞部が何れも複数の弾性部材を具備していることから、着用時に着用者の股下部分に柔軟にフィットして、股下部分を赤くしたり傷つけたりすることがない。
　【００１４】
　次に、上記漏れ抵抗部材６を第３図、第４図に基づいて更に詳述する。
　前記吸収体４は、裏面シート３上に固定され、該吸収体４の全体が前記表面シート２によって被覆接着され、上記表面シート２に対して該吸収体４の長手方向の側縁に沿わせた上記漏れ抵抗部材６が一定の幅で固定部９を長手方向に形成すると共に該漏れ抵抗部材６の長手方向の側縁で自由端縁を形成するように接着されている。即ち、複数の上記襞部６Ａは、それぞれ、１箇所に纏まっている固定部９から立ち上がっている。そして、上記弾性部材７は、上記自由端縁を上記表面シート２側へ折り曲げて形成された折曲部に内包され、上記襞部６Ａを構成している。尚、上記漏れ抵抗部材６は、上記表面シート２に対してホットメルト等の接着剤による接着、あるいは超音波による熱溶着等によって固定されるが、着用時の風合を良くするためには超音波の熱溶着による固定が好ましい。
　【００１５】
　また、上記弾性部材７は、第４図に示す如く、上記漏れ抵抗部材６の長手方向の両端近傍までしか達しておらず、弾性部材７を内包しないこれら両端部近傍では上記漏れ抵抗部材６の長手方向の両側端縁が上述の如く折曲形成されて、その内側で複数の固定部９を形成するように上記表面シート２に固定されている。即ち、襞部６Ａ、６Ａは股下部分の領域を中心に形成されるようになっている。
　【００１６】
　また、上記漏れ抵抗部材６の固定部９は、サイドフラップ５内であれば、どこに設置してもよいが、効果的なポケット構造の設定及び装着性の点から、上記吸収体４の長手方向側縁から外方に５０ｍｍ以内にあることが好ましく、３０ｍｍ以内にあることがより好ましい。また、上記固定部９の幅は３〜２０ｍｍに形成されていることが好ましい。上記襞部６Ａ、６Ａは、それぞれの幅方向の長さが１０〜１００ｍｍが好ましく、より好ましくは内側の襞部６Ａが３５ｍｍ程度、外側の襞部６Ａが１５ｍｍ程度である。
　【００１７】
　而して、上記表面シート２は、繊維不織布、多孔性プラスチックフィルム等によって、上記裏面シート３は、透湿性のプラスチックフィルム等によって、上記漏れ抵抗部材６は、上記表面シート２と同様に繊維不織布、多孔性プラスチックフィルム等によって、上記吸収体５は、解繊パルプを主材として吸収性ポリマーを併用したもの等によって、また、上記弾性部材７は、帯状または糸状のポリウレタンフィルムまたは天然ゴム等の伸縮自在な弾性部材によってそれぞれ形成されていることが好ましい。また、上記表面シート２は親水性の材料で形成されることが好ましく、上記漏れ抵抗部材６は撥水性の材料で形成されていることが好ましい。
　【００１８】
　本実施例のつかいすておむつ１は上記の如く構成されているため、これを着用する際、つかいすておむつ１は、襞部６Ａ、６Ａの弾性部材７、７によって表面シート２内で引張られて湾曲すると共に襞部６Ａ、６Ａが立ち上がって立体ギャザーを形成する（第１図参照）。かかる状態でテープファスナー８、８によって腰部に止着して本つかいすておむつ１を着用すると、サイドフラップ５、５の凹欠部５Ａ、５Ａが股下部分を囲むと共に、襞部６Ａ、６Ａが股下部分に柔軟にフィットして股下部分でポケット構造を形成して内部を外部からシールする。この際、襞部６Ａ、６Ａが着用者の股下部分を柔軟に平面でもってシールするため、股下部分を赤くしたり傷つけたりすることがない。また、本つかいすておむつ１は、従来の如く弾性部材７を表面シート２と裏面シート３との間に介装したものでないため、サイドフラップ５、５を形成する表面シート２と裏面シート３とは密着して隙間がなく、腰部からの漏れを確実に防止することができる。
　【００１９】
　また、本つかいすておむつ１は、消費者に対しては、漏れやフィット性の基本的な性能を有する他、視覚的にも優れたものである。
　また、本つかいすておむつに１によれば、立体ギャザーを構成する襞部６Ａ、６Ａをつかいすておむつ１表面の所定位置に接着するだけで固定することができるため、これを生産する際には、工程的にも簡素であり、高速生産することができ、生産効率の向上を図ることができる。
　【００２０】
　また、第５図は本発明の他の実施例を示すもので、本実施例のつかいすておむつ１は、同図に示す如く、襞部６Ａ、６Ａが糸状の弾性部材７を２本内包して所定幅の平面状部として形成されている以外は全て上記実施例と同様に構成されている。即ち、固定部９が、サイドフラップ５の表面に１箇所に纏まっており、襞部６Ａ，６Ａはそれぞれ固定部９（サイドフラップ５の表面）から分離して立ち上がっている。そして、上記襞部６Ａ、６Ａは、本つかいすておむつ１が湾曲した状態で立ち上がり、内側の襞部６Ａが吸収体４を被覆する表面シート２の上方に位置し且つ該吸収体４の長手方向の側縁より内側に位置するように構成されている。また、上記内側の襞部６Ａの弾性部材７、７のうち固定部９に近い側の弾性部材７の伸長率が遠い側の弾性部材の伸長率よりも大きく設定し、且つ上記外側の襞部６Ａの弾性部材７、７についても固定部９に近い側を遠い側よりも伸長率が大きく設定されて構成されている。
　【００２１】
　また、上記襞部６Ａの平面状部は５〜２０ｍｍに形成されていることが好ましく、より好ましくは１０ｍｍ程度である。尚、上記弾性部材７が１本の帯状のもので形成されている場合には、自由状態においてその幅が上記幅の平面状部を成す寸法に形成されておればよい。従って、本実施例のつかいすておむつ１によれば、襞部６Ａ、６Ａが平面状部で股下部分にフィットして排泄物の漏れをより確実に防止することができる。
　【００２２】
　また、第６図は本発明の更に他の実施例を示すもので、本実施例のつかいすておむつ１は、同図に示す如く、第１図〜第４図に示す第１の実施例のつかいすておむつ１の漏れ抵抗部材６に更に別の漏れ抵抗部材６’が該漏れ抵抗部材６の表面上に固定部９’を形成するように接着されている以外は全て第１の実施例と同様に構成されている。そして、本実施例においては、固定部９，９’が、サイドフラップ５の表面に１箇所に纏まっており、襞部６Ａ，６Ａ，６’Ａ，６’Ａはそれぞれ固定部９，９’（サイドフラップ５の表面）から分離して立ち上がっている。別の漏れ抵抗部材６’は、第６図に示す如く、漏れ抵抗部材６よりも幅が狭く形成され、その弾性部材７’が他方の弾性部材７より伸長率が大きく設定されており、襞部６’Ａが、第６図に示す如く、他方の襞部６Ａよりもより大きく立ち上がるように構成されている。従って、本実施例のつかいすておむつ１によれば、吸収体４の内側に向けて傾斜する２つの立体ギャザーが形成されて、これらが着用者の股下部分、鼠蹊部から大腿部にかけてより確実にフィットする。
　【００２３】
　（削除）
　【００２４】
　尚、上記各実施例のつかいすておむつ１においては、それぞれの吸収体４が長方形を呈するものについてのみ説明したが、これらの吸収体４は、それぞれのサイドフラップ５、５の凹欠部５Ａ、５Ａに従って湾曲形成されたものであれば、より一層フィット性を高めることができる。
　また、上記各実施例のつかいすておむつ１において、それぞれの吸収体４の長手方向の両端部をそれぞれの裏面シート３によって、あるいは別の防漏シートによって被覆し、更に腰部に弾性部材を設けることにより、腰部における漏れをより効果的に防止することができる。
　【００２５】
　【発明の効果】
　本発明のつかいすておむつは、股下部分に対して柔軟にフィットして隙間を生じさせることなく確実に漏れを防止することができると共に腰部における漏れを防止することができるものである。
【図面の簡単な説明】
　【図１】
　第１図は本発明のつかいすておむつの一実施例の表面の一部を破断して示す平面図
　【図２】
　第２図は第１図に示すつかいすておむつが表面側に湾曲した状態を示す斜視図
　【図３】
　第３図は第２図のＩＩＩ−ＩＩＩ線断面図
　【図４】
　第４図は第２図のＩＶ−ＩＶ線断面図
　【図５】
　第５図は本発明のつかいすておむつの他の実施例を示す第３図相当図
　【図６】
　第６図は本発明のつかいすておむつの他の実施例を示す第３図相当図
　【符号の説明】
　１　つかいすておむつ
　２　表面シート
　３　裏面シート
　４　吸収体
　５　サイドフラップ
　６、６’　漏れ抵抗部材
　６Ａ、６’Ａ　襞部
　７、７’　弾性部材